(57)【要約】【課題】バイオ処理槽の排気経路に挿入し、基材粉等による目詰まりを除去するためのフィルタの目詰まり防止動作を簡易かつ自動的に行うようにすること。【解決手段】バイオ処理装置の排気経路の途中に挿入したフィルタボックス２と、その内部を上下に仕切る金属板に構成した複数のスリット３ａ、３ａ…からなるフィルタ部３と、全スリット３ａ、３ａ…に往復スライド自在に挿入した櫛歯４、４…と、これらをスリット３ａ、３ａ…に往復移動させるべく動作する、基部４ａ、軸部材４ｂ、その端部にピボット４ｄを介して結合したレバー部材５及びレバー部材５を、櫛歯４、４…がスリット３ａ、３ａ…の一端側に移動することとなるように付勢するコイルバネ６からなる除去片操作手段とからなり、レバー部材５を、投入用開口部１ｂｈの蓋体１ａの閉じる動作でコイルバネ６の付勢方向と逆方向に動かすように位置決めしたものである。【選択図】  図１
2014226641.tif 000002
【特許請求の範囲】
【請求項１】
バイオ処理装置の有機物処理槽と外気とを連通する排気経路の途中に配した、複数のスリットを平行に開口してなるフィルタ部材と、
前記フィルタ部材の全スリットにそれらの長さ方向に沿って往復移動自在に挿入した該スリットと同数の目詰まり除去片と、
前記目詰まり除去片を前記スリットの長さ方向に沿って往復移動させるべく動作する除去片操作手段であって、このバイオ処理装置の使用者が使用に際して操作する構成要素の動作で動作するように構成した除去片操作手段と、
で構成したバイオ処理装置用のフィルタ装置。
【請求項２】
前記バイオ処理装置が生ゴミ処理装置であり、
前記バイオ処理装置の使用者が使用に際して操作する構成要素が該生ゴミ処理装置の有機物処理槽の蓋体であり、
前記複数の目詰まり除去片が、基部から前記フィルタ部材のスリットの間隔でかつ該スリットを貫通するまで延長した同数の櫛歯であり、
前記除去片操作手段が、前記基部の下辺に沿って固設した軸部材の両端を回動自在に支持する支持手段と、該軸部材の一端からその長さ方向に直交する方向に延び、最上昇時に前記櫛歯の先端付近が前記フィルタ部材のスリットの一端付近に位置し、最下降時に他端付近に位置するように調整したレバー部材であって、最上昇時のその先端が直接に又は間接に前記有機物処理槽の開蓋状態の蓋体の閉蓋動作によって最下降状態にまで押し下げられるように更に調整したレバー部材と、該レバー部材を上昇方向に付勢する付勢手段と、で構成してなる請求項１のバイオ処理装置用のフィルタ装置。
【請求項３】
前記バイオ処理装置がバイオトイレ装置であり、
前記バイオ処理装置の使用者が使用に際して操作する構成要素が該バイオトイレ装置のの便器の蓋体であり、
前記複数の目詰まり除去片が、基部から前記フィルタ部材のスリットの間隔でかつ該スリットを貫通するまで延長した同数の櫛歯であり、
前記除去片操作手段が、前記基部の下辺に沿って固設した軸部材の両端を回動自在に支持する支持手段と、該軸部材の一端からこれと直交する方向に延び、その最上昇時に前記櫛歯の先端付近が前記フィルタ部材のスリットの一端付近に位置し、最下降時に他端付近に位置するように調整したレバー部材であって、最上昇時のその先端が前記便器の閉蓋状態の蓋体の開蓋動作時の該蓋体の後部から突出した作動片の下降動作によって最下降状態まで押し下げられるように更に調整したレバー部材と、該レバー部材を上昇方向に付勢する付勢手段と、で構成してなる請求項１のバイオ処理装置用のフィルタ装置。
【請求項４】
前記レバー部材の先端に延長コイルバネを延長状態に取り付け、該延長コイルバネの先端側を前記便器の蓋体の後部から突出した作動片の下方に位置させるようにした請求項３のバイオ処理装置用のフィルタ装置。
【発明の詳細な説明】
【技術分野】
【０００１】
本発明は、台所で発生する魚介類屑や野菜屑等の種々の食材屑等の生ゴミ、街路樹等の剪定時に発生する剪定廃材、または人や動物の排泄物等の有機物の減容等の処理を微生物を用いた好気性処理で行うバイオ処理装置において、その処理槽の被処理有機物から生じる種々の分解ガス類及び導入された空気等を排気する排気経路に挿入した、これらの分解ガス類等に混じって排出される種々の粉塵等を除去するためのフィルタ装置であって、その目詰まり防止操作を自動的に行うようにした、バイオ処理装置用のフィルタ装置に関する。
【背景技術】
【０００２】
バイオ処理装置には、台所で発生する食品屑類その他を処理する小型の生ゴミ処理機、同様の食品屑であっても、レストラン等の厨房で発生する大量のそれを処理する大型の生ゴミ処理機、または人の排泄物を処理する排泄物処理装置等があるが、いずれも通常は好気性処理を行っており、それらの処理槽には予め好気性微生物を担持した基材を投入しておき、そうした上で、その後、順次、処理対象の有機物を投入して、継続的に、定期的に又は非定期的に空気を導入しながら、かつ槽中に組み込んである撹拌手段を定期的又は非定期的に動作させ、投入した有機物を前記基材と共に撹拌してこれらを空気と接触させている。
【０００３】
この好気性処理の過程で、導入した空気中の酸素は消費され、他方で、種々の分解ガス類が生じるため、当然、これらを排気し、新しい空気を導入する必要がある。この排気の際には、特に撹拌手段による被処理有機物等の撹拌の過程で種々の粉塵が発生し、これらが混じって排気され、排気手段中の排気ファンの羽根等に付着して、その動作を妨げるようになるおそれもある。そこで、通常、排気経路の途中にこれらの粉塵類を除去するためのフィルタが挿入されるが、当然、このようなフィルタには粉塵等が付着し、いずれは目詰まりが生じる。そのため、このようなフィルタに関しては、適当な時間間隔で目詰まりを除去するメンテナンスが必要となるが、この目詰まり除去の作業は、このようなバイオ処理装置においては、狭い汚れた部位の厄介な作業であり、嫌われる作業となっている。
【０００４】
特許文献１は、消滅型生ゴミ処理機に関するものであり、その生ゴミ処理槽には排気筒と吸気口とからなる吸排気手段が構成してある。排気筒は、文字通り筒状の部材であるが、生ゴミ処理槽の上部開口に配した最内端の網状のフィルタと、該フィルタの直後に配した臭気吸着部と、外端に配した排気手段とで構成したもので、該排気手段は、ブロワーとこれを駆動するモーターとで構成したものである。また前記吸気口は生ゴミ処理槽の上部の前記排気用のフィルタと反対側に開口した開口部であり、ここにも網状のフィルタが配してある。
【０００５】
以上の吸排気手段の排気筒の最内端のフィルタは、前記したように、生ゴミ処理槽内で被処理有機物が撹拌手段で撹拌される等により生じた粉塵等が排気に混じって排出され、前記排気手段を構成するブロワーの羽根等に付着してその動作に悪影響を与えるようになることを回避する趣旨のものである。定期的又は非定期的に清掃をし、付着物を取り除く必要があるが、このフィルタの清掃は汚れた狭く取り扱いにくい部位を対象とする厄介で嫌われる作業である。
【０００６】
特許文献２は、移動体内のトイレ用排泄物処理装置に関するものであり、その排泄物処理槽には、該排泄物処理槽から外気に連通する排気ダクトと、該排気ダクトの途中に挿入したフィルタと、該排気ダクトの該フィルタより外気側途中に挿入した排気ファンとからなる排気手段を付設し、該排気手段の排気ダクトの途中には脱臭手段を挿入し、かつ該排気手段のフィルタには目詰まり防止手段を配してあるものである。
【０００７】
前記フィルタの目詰まり防止手段としては、前記排気ファンを逆転可能に構成し、その逆転動作でフィルタに付着した粉塵等の汚れを吹き飛ばすようにした構成、浄水配管をフィルタの下流側に挿入し、その先端のノズルから定期的又は非定期的に浄水を噴射してフィルタに付着した粉塵等の汚れを洗い流す構成、及び圧縮空気導入配管をフィルタの下流側に挿入し、その先端のノズルから定期的又は非定期的に圧縮空気を噴出させてフィルタに付着した汚れを吹き飛ばすようにした構成が提案されている。
【０００８】
前記排気ファンを逆転可能に構成してなる目詰まり防止手段は、特別な装置を用いない利点があるが、通常の排気ファンを逆転するだけでは、確実にフィルタに付着した粉塵等の汚れを除去することは困難である。圧縮空気導入配管を挿入する構成の目詰まり防止手段は、高い圧力の圧縮空気をノズルより噴出させることにより、フィルタの目詰まりを吹き飛ばし除去することは可能であると思われるが、コンプレッサを別に用意する必要があり、どのようなバイオ処理装置でも適用可能であるという手段ではない。浄水を噴射させることによる目詰まり防止手段も浄水を圧送するポンプ装置等が必要であり、やはりどのようなバイオ処理装置でも適用可能であるという手段ではない。排泄物処理槽等の有機物処理槽内に浄水を流入させるものであり、その内部の水分条件を不適切に変更する可能性もあり、その点でも適当であるとは言いがたい。
【先行技術文献】
【特許文献】
【０００９】
【特許文献１】特開２０００−３１７４２６号公報
【特許文献２】特開２００９−２３３６０９号公報
【発明の概要】
【発明が解決しようとする課題】
【００１０】
本発明は、種々の食品屑等の生ゴミ又は人や動物の排泄物等の有機物の減容等の処理を微生物を用いた好気性処理で行うバイオ処理装置において、その処理槽の被処理有機物から生じる種々の分解ガス類及び導入された空気等を排気する排気経路に挿入し、これらの分解ガス類等に混じって排出される種々の粉塵等を除去するためのフィルタ装置であって、その目詰まり防止操作を簡易に確実に自動的に行うようにしたバイオ処理装置用のフィルタ装置を提供することを解決の課題とする。
【課題を解決するための手段】
【００１１】
本発明の１は、バイオ処理装置の有機物処理槽と外気とを連通する排気経路の途中に配した、複数のスリットを平行に開口してなるフィルタ部材と、
前記フィルタ部材の全スリットにそれらの長さ方向に沿って往復移動自在に挿入した該スリットと同数の目詰まり除去片と、
前記目詰まり除去片を前記スリットの長さ方向に沿って往復移動させるべく動作する除去片操作手段であって、このバイオ処理装置の使用者が使用に際して操作する構成要素の動作で動作するように構成した除去片操作手段と、
で構成したバイオ処理装置用のフィルタ装置である。
【００１２】
本発明の２は、本発明の１のバイオ処理装置用のフィルタ装置において、
前記バイオ処理装置が生ゴミ処理装置であり、
前記バイオ処理装置の使用者が使用に際して操作する構成要素が該生ゴミ処理装置の有機物処理槽の蓋体であり、
前記複数の目詰まり除去片が、基部から前記フィルタ部材のスリットの間隔でかつ該スリットを貫通するまで延長した同数の櫛歯であり、
前記除去片操作手段が、前記基部の下辺に沿って固設した軸部材の両端を回動自在に支持する支持手段と、該軸部材の一端からその長さ方向に直交する方向に延び、最上昇時に前記櫛歯の先端付近が前記フィルタ部材のスリットの一端付近に位置し、最下降時に他端付近に位置するように調整したレバー部材であって、最上昇時のその先端が直接に又は間接に前記有機物処理槽の開蓋状態の蓋体の閉蓋動作によって最下降状態にまで押し下げられるように更に調整したレバー部材と、該レバー部材を上昇方向に付勢する付勢手段と、で構成してなるものである。
【００１３】
本発明の３は、本発明の１のバイオ処理装置用のフィルタ装置において、
前記バイオ処理装置がバイオトイレ装置であり、
前記バイオ処理装置の使用者が使用に際して操作する構成要素が該バイオトイレ装置のの便器の蓋体であり、
前記複数の目詰まり除去片が、基部から前記フィルタ部材のスリットの間隔でかつ該スリットを貫通するまで延長した同数の櫛歯であり、
前記除去片操作手段が、前記基部の下辺に沿って固設した軸部材の両端を回動自在に支持する支持手段と、該軸部材の一端からこれと直交する方向に延び、その最上昇時に前記櫛歯の先端付近が前記フィルタ部材のスリットの一端付近に位置し、最下降時に他端付近に位置するように調整したレバー部材であって、最上昇時のその先端が前記便器の閉蓋状態の蓋体の開蓋動作時の該蓋体の後部から突出した作動片の下降動作によって最下降状態まで押し下げられるように更に調整したレバー部材と、該レバー部材を上昇方向に付勢する付勢手段と、で構成してなるものである。
【００１４】
本発明の４は、本発明の３のバイオ処理装置用のフィルタ装置において、
前記レバー部材の先端に延長コイルバネを延長状態に取り付け、該延長コイルバネの先端側を前記便器の蓋体の後部から突出した作動片の下方に位置させるようにしたものである。
【発明の効果】
【００１５】
本発明の１のバイオ処理装置用のフィルタ装置によれば、バイオ処理装置を使用する使用者、例えば、生ゴミ処理機の使用者やバイオトイレ装置の使用者が、その使用に際して操作する該バイオ処理装置の構成要素の動作、例えば、生ゴミの投入のためにその蓋体を開閉するその操作によって生じる該蓋体の開閉動作、またはバイオトイレ装置を使用するためにその便器の蓋体を開閉するその操作によって生じる該蓋体の開閉動作で、前記除去片操作手段が必要な動作を行い、これによって前記目詰まり除去片がフィルタ部材のスリット中をスライド往復動作し、そこに詰まっている可能性のある基材粉等の汚れを、殆ど自動的に簡単確実に除去することができる。
【００１６】
また本発明の１のバイオ処理装置用のフィルタ装置においては、目詰まり除去のための構成が、その動作によって、本来の機能であるバイオ処理に影響を与えるおそれの全くないものとなっている。前記のように、その動作のために別の新たな動力等を必要とするものでもない。なお、このような簡単な目詰まり除去の構成は、前記フィルタ部材を網状ではなく、多数のスリットを平行に開口する構成とすることによって得られたものである。
【００１７】
本発明の２のバイオ処理装置用のフィルタ装置によれば、バイオ処理装置が生ゴミ処理装置の場合に、生ゴミの投入の際に必然的に行う蓋体の開閉動作によって、前記除去片操作手段を動作させ、これによって目詰まり除去片である櫛歯を前記フィルタ部材のスリット中を往復スライド動作させて、その目詰まり除去を容易かつ確実に行うことができる。
【００１８】
本発明の３のバイオ処理装置用のフィルタ装置によれば、バイオ処理装置がバイオトイレ装置の場合に、該バイオトイレ装置を利用する際に、必然的に行う便器の蓋体の開閉動作によって、前記除去片操作手段を動作させ、これによって目詰まり除去片である櫛歯を前記フィルタ部材のスリット中を往復スライド動作させて、その目詰まり除去を容易かつ確実に行うことができる。
【００１９】
本発明の４のバイオ処理装置用のフィルタ装置によれば、便器の蓋体の開閉時に加えられる作動片による押し下げ動作に応じて、前記レバー部材が無理なく下降動作をすることができる。前記作動片の当接面である下面の各部は、便器の蓋体の開閉時に該蓋体のヒンジ軸を中心とする円弧に沿って回動動作をすることから、剛体であるレバー部材の先端が単にその下面に当接して押し下げ動作を受けると、ねじれ作用を受け、軸受け等に悪影響を与えるおそれがある。しかし、本発明の４のバイオ処理装置用のフィルタ装置によれば、レバー部材は、その先端に延長状態に取り付けた延長コイルバネを介して押し下げ動作を受けるので、そのようなねじれ現象等が該延長コイルバネで吸収される利点がある。
【図面の簡単な説明】
【００２０】
【図１】生ゴミ処理機に適用した実施例１のバイオ処理装置用のフィルタ装置の一部切欠斜視図。
【図２】(a)は実施例１のバイオ処理装置用のフィルタ装置の縦断面図、(b)は横断面図、(c)は櫛歯及びその周囲の取り付け状態を示す断面説明図。
【図３】バイオトイレ装置に適用した実施例２のバイオ処理装置用のフィルタ装置の一部切欠平面図。
【図４】バイオトイレ装置に適用した実施例２のバイオ処理装置用のフィルタ装置の一部切欠正面図。
【図５】櫛歯及びその周囲の取り付け状態を示す断面説明図。
【発明を実施するための形態】
【００２１】
本発明を実施する形態を図面を参照しながら実施例に基づいて説明する。
【００２２】
＜実施例１＞
この実施例１のバイオ処理装置用のフィルタ装置は、生ゴミ処理装置に適用したものであり、基本的に、図１及び図２に示すように、生ゴミ処理装置の装置本体の外箱１内の上部に配されたフィルタボックス２と、該フィルタボックス２中に構成したフィルタ部３と、目詰まり除去片である櫛歯４、４…と、これを前記外箱１の蓋体１ａの開閉動作に伴って動かすためのレバー部材（除去片操作手段）５と、該レバー部材５及び前記櫛歯４、４…を一定方向に動かすためのコイルバネ（付勢手段、除去片操作手段）６とで構成したものである。
【００２３】
前記外箱１は、図１に示すように、生ゴミ処理装置の装置本体のケーシングを構成する箱形の部材であり、この内部下方には生ゴミを処理する図示しない生ゴミ処理槽が配置してある。該生ゴミ処理槽には、一般のそれと同様に撹拌手段が配してあり、予め装入してある好気性微生物を担持した基材とその後に投入される生ゴミとを定期的又は非定期的に撹拌するようにしてある。また該生ゴミ処理槽に、使用者が生ゴミを投入するため及び微生物を担持した基材を投入するため、前記外箱１の天板部１ｂには、投入用開口部１ｂｈが開口してあり、これには開閉自在な前記蓋体１ａが取り付けてある。この蓋体１ａは、図１に示すように、その下面周縁部に気密封止用のパッキン１ａｐが取り付けてあり、この蓋体１ａで該投入用開口部１ｂｈを閉じた場合に、該投入用開口部１ｂｈの周囲上面と該蓋体１ａのパッキン１ａｐとが密接して気密封止できるようになっている。生ゴミから発生する悪臭を該投入用開口部１ｂｈから放出させないようにする趣旨である。
【００２４】
前記フィルタボックス２は、図１及び図２に示すように、この実施例１では、直方体箱状に構成した金属製部材であり、その高さ方向の途中に前記フィルタ部３を構成した金属板材を配した部材である。該フィルタボックス２は、最下部に広く開いた排気導入口２ａが形成してあり、上部の一側、図２(a)、(b)中では、フィルタ部３を構成した金属板材より上部の右側部に排気吐出口２ｂが開口してあるものである。
【００２５】
なお、以上のフィルタボックス２は、この実施例１では、生ゴミ処理装置の排気経路の最内端に配置したものである。具体的には、該フィルタボックス２を、特に図１に示すように、前記外箱１の天板部１ｂの下面に取り付け、その下方に位置する前記生ゴミ処理槽から発する分解ガスその他をその下部の排気導入口２ａから導入し、フィルタ部３の上方の側部に開口した排気吐出口２ｂから吐出するようになっている。該排気吐出口２ｂには、外気に連通する図示しない排気ダクトが接続してあり、その途中に挿入してある、同様に図示しない排気ファンによって排気動作が行われるようになっている。排気ダクトの途中には、更に脱臭部が挿入してあり、排気中の悪臭が除去されるようにもなっている。なおまた、排気ファンは、連続動作させるか、定期的又は非定期的に動作させるように設定することが可能となっている。該排気ファンは、いずれにしても前記蓋体１ａを開ける場合には、必ず動作して、排気動作を行い、生ゴミ処理槽を配した外箱１の内部を負圧にして前記投入用開口部１ｂｈから悪臭が漏れ出ないようにしてある。
【００２６】
前記フィルタ部３は、図１及び図２に示すように、該フィルタボックス２の高さ方向途中にその天板部１ｂと平行に、上下を仕切るように前記金属板材を配して、これに相互に平行な多数のスリット３ａ、３ａ…を開口して構成したものである。これらの多数のスリット３ａ、３ａ…は、該金属板材に、その一端、すなわち、前記排気吐出口２ｂに近接する一端から他端に向けて長く伸びる態様に構成したものである。当然、各スリット３ａ、３ａ…の幅は、ここを通過することを妨げたい基材粉等のサイズを下回る寸法とする。この実施例１では、スリット３ａ、３ａ…の幅は１．２ｍｍに設定した。
【００２７】
前記櫛歯４、４…は、特に図２(a)、(c)に示すように、金属板材を、その下部側を基部４ａとして残し、該基部４ａより上部にその上端まで延びる多数の細幅の切欠を形成して、前記スリット３ａ、３ａ…の間隔で、かつ該スリット３ａ、３ａ…の幅を僅かに下回る幅で形成した多数の平行な細幅部材である。図２(a)〜(c)に示すように、該基部４ａの下部には該櫛歯４、４…と直交する向きに軸部材４ｂを固設し、該軸部材４ｂの両端を、前記フィルタボックス２の前記排気吐出口２ｂの開口してある側部と直交する他の二つの側部にそれぞれ軸受け部材４ｃ、４ｃを介して回動自在に取り付け、前記櫛歯４、４…の上端付近を、図１及び図２(a)〜(c)に示すように、前記フィルタ部３のスリット３ａ、３ａ…に挿入状態とする。
【００２８】
前記レバー部材５は、図２に示すように、前記フィルタボックス２の外部に突出した前記軸部材４ｂの一端にピボット４ｄを介して該軸部材４ｂと直交する向きに取り付ける。該レバー部材５と該軸部材４ｂとは、該レバー部材５の最上昇状態で前記櫛歯４、４…の上端付近が前記フィルタ部３のスリット３ａ、３ａ…の前記排気吐出口２ｂに近接する側の端部付近に位置し、最下降状態で該櫛歯４、４…の上端付近が該スリット３ａ、３ａ…のその反対側の端部付近に位置することとなるように、取り付ける。
【００２９】
前記レバー部材５は、図１及び図２(a)に示すように、前記外箱１の投入用開口部１ｂｈ側に延長し、その最もフィルタボックス２に近い側の辺近傍から、その外端を屈曲して受動作棒部５ａを立ち上げ、その最上端に上端に丸みを付けた当接部材５ｂを固設したものである。該レバー部材５は、後述するように、前記外箱１の蓋体１ａを開けた場合に、その外端側が最上部まで上昇する最上昇状態となり、蓋体１ａを閉じた場合に、その下面が当接部材５ｂを押し下げ、これに伴って最下部まで下降する最下降状態となるように調整する。
【００３０】
前記コイルバネ６は、図１及び図２(a)に示すように、前記櫛歯４、４…の基部４ａから後方に張り出して下方に屈曲してなる結合片６ａに一端側を結合し、フィルタボックス２の該櫛歯４、４…の基部４ａと対面する側の側面から張り出して下方に屈曲してなる結合片６ｂに他端側を結合した引っ張りバネ部材である。前記櫛歯４、４…をその上端付近がスリット３ａ、３ａ…の前記排気吐出口２ｂ側寄りの端部側に移動するように、及び前記レバー部材５の外端側が上昇する方向に、それぞれ付勢する手段であり、それ故、前記外箱１の蓋体１ａを、図１に示すように、開くと、前記当接部材５ｂは、上部を抑えていた蓋体１ａの上方回動により、その上昇が許容され、付勢手段である前記コイルバネ６の作用で、上昇し、これによって当然前記レバー部材５も、その先端側が上昇するように動作し、前記櫛歯４、４…の上端付近も、前記スリット３ａ、３ａ…の反対側端部付近から前記排気吐出口２ｂ側寄りの端部側に移動することになる。
【００３１】
当然、蓋体１ａを閉じれば、該蓋体１ａによって前記当接部材５ｂが押し下げられ、受動作棒部５ａ及びレバー部材５の外端側が下降回動し、前記基部４ａ及びこれから延長する櫛歯４、４…も対応する回動動作し、該櫛歯４、４…は、その先端部付近が前記スリット３ａ、３ａ…の前記排気吐出口２ｂ側寄りの端部と反対側の端部付近にスライド移動することになる。
【００３２】
なお、前記蓋体１ａの開閉にともなうこのような櫛歯４、４…の動作により、スリット３ａ、３ａ…は、これらに詰まっていることのある基材粉その他による目詰まりを除去することができる。
【００３３】
この実施例１のバイオ処理装置用のフィルタ装置によれば、これを適用した生ゴミ処理装置を使用する使用者が、その使用に際して、生ゴミの投入のために又は基材の投入のためにその外箱１の蓋体１ａをあけ、投入後に閉じると、その蓋体１ａの開動作に伴って、前記のように、前記レバー部材５の外端側が上昇を許容され、前記コイルバネ６の作用により、該レバー部材５がその外端側を上昇させる上昇動作を行い、これと同時に前記櫛歯４、４…の上端付近が前記スリット３ａ、３ａ…内を前記排気吐出口２ｂ側寄りの端部側にスライド移動することになる。またその蓋体１ａの閉動作に伴って、前記当接部材５ｂが該蓋体１ａの下面で押し下げられて下降し、これによって受動作棒部５ａ及びこれに繋がるレバー部材５の外端側が、前記コイルバネ６に抗して下降動作し、最終的には、前記最下降状態まで下降することになる。このようにレバー部材５が最下降状態まで下降動作すると、これにピボット４ｄ及び軸部材４ｂを介して結合する基部４ａ及び櫛歯４、４…は、前記排気吐出口２ｂ側寄りの端部側と反対側の端部側にスライド移動することになる。
【００３４】
このような櫛歯４、４…のスライド往復動作により、フィルタ部３のスリット３ａ、３ａ…は、その一端側から他端側の間に基材粉その他の汚れ成分が詰まっていた場合にも、それらが除去されることになる。
【００３５】
このような櫛歯４、４…のフィルタ部３のスリット３ａ、３ａ…内のスライド往復動作は、以上のように、使用者が、生ゴミの投入又は基材の投入のために前記蓋体１ａを開閉動作するのみで生じるものであり、特別な動力を要することもなく、殆ど自動的に行うことができる。
【００３６】
＜実施例２＞
この実施例２のバイオ処理装置用のフィルタ装置は、バイオトイレ装置に適用したものであり、基本的に、図３及び図４に示すように、排泄物処理槽を外装する外箱１１の天板１１ｂ上に便器１１ｃに隣接して配したフィルタボックス１２と、該フィルタボックス１２中に構成したフィルタ部１３と、目詰まり除去片である櫛歯１４、１４…と、これを前記外箱１１上に位置する便器１１ｃの蓋体１１ａの開閉動作に伴って動かすために該蓋体１１ａの背後側に延長したレバー部材（除去片操作手段）１５と、該レバー部材１５の外端を上昇回転方向に付勢するためのコイルバネ（付勢手段、除去片操作手段）１６とで構成したものである。
【００３７】
前記外箱１１は、図３及び図４に示すように、バイオトイレ装置のケーシングを構成する箱形の金属部材であり、この内部下方には排泄物を処理する図示しない排泄物処理槽が配置してある。該排泄物処理槽には、一般のそれと同様に撹拌手段が配してあり、これによって、予め装入してある好気性微生物を担持した基材とその後に前記便器１１ｃを通じて導入される排泄物とを定期的又は非定期的に撹拌するようにしてある。なお、該便器１１ｃは、図４に示すように、この外箱１１上に設置され、その下部から垂下する図示しない導入管を下方の外箱１１の天板部１１ｂを貫通させ、その内部下方に配した排泄物処理槽に連通させてある。
【００３８】
前記フィルタボックス１２は、図３〜図５に示すように、この実施例２では、直方体箱状に構成した金属製の部材であり、その内部が、金属板材で、下部かつ便器１１ｃ側の排気導入空間１２ａと、上部から便器１１ｃと反対側側部に連続する排気排出路１２ｂとに区画してあるものである。より詳しくは、金属板材を途中でほぼ直角に屈曲させ、その水平な一片側をフィルタボックス１２の天板部と一定の間隔を開けて平行に、かつその端部を便器１１ｃ側の側部に当接させた状態で固定し、垂直な他片側を便器１１ｃと反対側の側部と一定の間隔をあけて平行に配するようにしたものである。該金属板材のフィルタボックス１２の天板と平行な一片側には、前記フィルタ部１３を構成する。該フィルタボックス１２の天板部と該金属板材の水平な一片側との間及び該フィルタボックス１２の便器１１ｃと反対側の側板と該金属板材の垂直な他片側との間が前記排気排出路１２ｂとなる。該フィルタボックス１２の最下部は広く開いた開口部となっており、前記金属板材のフィルタ部１３を構成した水平な一片側と垂直な他片側、該フィルタボックス１２の便器１１ｃ側の側部、これと隣接する両側の側部で囲まれる空間が前記排気導入空間１２ａとなる。
【００３９】
なお、以上のフィルタボックス１２は、この実施例２では、バイオトイレ装置の排気経路の最内端側に配置するものである。具体的には、該フィルタボックス１２を、前記し、特に図４に示すように、前記外箱１１の天板部１１ｂの上面上に取り付け、該外箱１１内の下方に位置する前記排泄物処理槽から発する分解ガスその他を該天板部１１ｂに開口した開口部及び該フィルタボックス１２の下部の開口部を通じて前記排気導入空間１２ａに導入し、前記フィルタ部１３を通じてその上方の排気排出路１２ｂに移動させ、ここを通じて外気に吐出するようになっている。なおまた、この排気排出路１２ｂには、外気に連通する図示しない排気ダクトが接続してあり、その途中に挿入してある、同様に図示しない排気ファンによって排気動作が行われるようになっている。排気ダクトの途中には、更に脱臭部が挿入してあり、排気中の悪臭が除去されて外気に放出されるようにもなっている。更にまた該排気ファンは、連続的、定期的又は非定期的に動作するように設定可能となっている。該排気ファンは、いずれにしても、便器１１ｃの蓋体１１ａを開けると、必ず動作して排気動作を行い、排泄物処理槽を配置した外箱１１の内部を負圧にして該便器１１ｃから悪臭が漏れ出さないようにしておく。
【００４０】
前記フィルタ部１３は、前記し、図３に示すように、該フィルタボックス１２の高さ方向途中にその天板部と平行に、上下を仕切るように配してある前記金属板材の水平な一片側に相互に平行な多数のスリット１３ａ、１３ａ…を開口して構成したものである。これらの多数のスリット１３ａ、１３ａ…は、該金属板材に、便器１１ｃに近接する一側から他側に向けて長く伸びる態様で構成したものである。当然、各スリット１３ａ、１３ａ…の幅は、ここを通過することを妨げたい基材粉等のサイズを下回る寸法とする。この実施例２では、該スリット１３ａ、１３ａ…の幅は、実施例１のそれと同様に、１．２ｍｍに設定した。
【００４１】
前記櫛歯１４、１４…は、特に図５に示すように、金属板材を、その下部側を基部１４ａとして残し、該基部１４ａより上部にその上端まで延びる多数の細幅の切欠を形成して、前記スリット１３ａ、１３ａ…の間隔で、かつ該スリット１３ａ、１３ａ…の幅を僅かに下回る幅で形成した多数の平行な細幅部材である。同図に示すように、該基部１４ａの下部には該櫛歯１４、１４…と直交する向きに軸部材１４ｂを固設し、該軸部材１４ｂの両端を、前記フィルタボックス１２の前記スリット１３ａ、１３ａ…の長さ方向と平行な両側の側部にそれぞれ軸受け部材１４ｃ、１４ｃを介して回動自在に取り付け、前記櫛歯１４、１４…の上端付近を、図３〜図５に示すように、前記フィルタ部１３のスリット１３ａ、１３ａ…に挿入状態とする。
【００４２】
前記レバー部材１５は、図３〜図５に示すように、前記フィルタボックス１２の外部に突出した前記軸部材１４ｂの前記便器１１ｃの蓋体１１ａの後部に対応する側の端部にピボット１４ｄを介して取り付ける。該レバー部材１５は、同図に示すように、該軸部材１４ｂに、これと直交する向き、すなわち、便器１１ｃの蓋体１１ａの後部側に向けて取り付ける。該レバー部材１５と該軸部材１４ｂとは、該レバー部材１５の最上昇状態で前記櫛歯１４、１４…の上端付近が前記フィルタ部１３のスリット１３ａ、１３ａ…の前記便器１１ｃと反対側の端部付近に位置し、最下降状態で該櫛歯１４、１４…の上端付近が該スリット１３ａ、１３ａ…のその反対側の端部付近、すなわち、便器１１ｃ側の端部付近に位置することとなるように、取り付ける。
【００４３】
また前記レバー部材１５は、前記し、図３及び図４に示すように、前記便器１１ｃの蓋体１１ａの後部側に延長し、その先端に、延長コイルバネ１５ａの一端を外装固定し、その他端側を該便器１１ｃの蓋体１１ａの後端の一部に取り付けた作動片１５ｂの直下まで更に延長する。該作動片１５ｂは、図３及び図４に示すように、直立する取付片部１５ｂ１で該蓋体１１ａの後端の一部に固設し、その取付片部１５ｂ１の下部から張り出す作動片本体１５ｂ２の下面に前記レバー部材１５の先端に取り付けた延長コイルバネ１５ａを当接させるようにするものである。
【００４４】
従って便器１１ｃの蓋体１１ａを開けると、前記作動片１５ｂは、該蓋体１１ａの後部を回動自在に支持する図示しないヒンジを中心として下降回動動作をし、その作動片本体１５ｂ２の下面に当接している前記延長コイルバネ１５ａを押し下げるべく動作する。蓋体１１ａは、これを開けた場合は、若干後方に倒れる状態まで起こすことになるのが普通であり、前記作動片１５ｂの作動片本体１５ｂ２で押し下げられる前記延長コイルバネ１５ａは、最下部に押し下げられる過程で、前記ヒンジを中心に回動する該作動片１５ｂにより、徐々に該蓋体１１ａの前方側にも押圧移動させられ、ねじられた状態となる。
【００４５】
前記レバー部材１５はそれ自体では、そのような作動片１５ｂのヒンジを中心とする回動動作に対応することはできないが、前記延長コイルバネ１５ａは、弾力的に屈曲可能な部材であるので、必要な下降動作を行いつつ、そのような蓋体１１ａの前方側に押圧移動させられるような動作にも対応することができる。
【００４６】
前記コイルバネ１６は、図３及び図４に示すように、前記ピボット１４ｄに、これから前記レバー部材１５と反対側に延長状態になるように取り付けた腕片１５ｃの先端側とその直下の外箱１１の天板部１１ｂの一部とに連結した引っ張りバネである。このコイルバネ１６は、前記レバー部材１５の先端側を上昇させ、該レバー部材１５にピボット１４ｄ、軸部材１４ｂ及び基部１４ａを介して結合している櫛歯１４、１４…を、その上端付近がフィルタ部１３のスリット１３ａ、１３ａ…の便器１１ｃと反対側の端部付近に移動しているように付勢する手段である。従って、便器１１ｃの蓋体１１ａが閉じている状態では、図３及び図４に示すように、以上のとおり、櫛歯１４、１４…はその先端付近がフィルタ部１３のスリット１３ａ、１３ａ…の便器１１ｃと反対側の端部付近に移動していることになる。
【００４７】
蓋体１１ａを開けると、その後部の作動片１５ｂが下降回動し、作動片本体１５ｂ２の下面に接している延長コイルバネ１５ａは、前記コイルバネ１６に抗して押し下げられることになり、レバー部材１５の先端側は押し下げられ、これに伴って前記櫛歯１４もその先端付近が、前記便器１１ｃと反対側の端部から便器１１ｃ側の端部側に移動することになる。
【００４８】
当然、蓋体１１ａを閉じれば、前記作動片１５ｂは上昇回動し、前記コイルバネ１６の作用で、レバー部材１５の先端側もこれに追随して上昇し、前記櫛歯１４、１４…の上端付近は、フィルタ部１３のスリット１３ａ、１３ａ…の便器１１ｃと反対側の端部付近に移動することになる。
【００４９】
以上の蓋体１１ａの開閉にともなうこのような櫛歯１４、１４…の動作により、フィルタ部１３のスリット１３ａ、１３ａ…は、これらに詰まっていることのある基材粉その他による目詰まりを除去することができる。
【００５０】
この実施例２のバイオ処理装置用のフィルタ装置によれば、これを適用したバイオトイレ装置を使用する使用者が、その使用に際して、便器１１ｃの蓋体１１ａを開閉すると、その蓋体１１ａの開動作に伴って、前記のように、前記レバー部材１５の外端側の延長コイルバネ１５ａが該蓋体１１ａの後部に配した作動片１５ｂにより押し下げられ、これに伴って前記櫛歯１４、１４…の上端付近が前記フィルタ部１３のスリット１３ａ、１３ａ…内を便器１１ｃ側の端部付近にスライド移動することになる。またその蓋体１１ａの閉動作に伴って、前記作動片１５ｂが上昇回動し、前記レバー部材１５の外端側の延長コイルバネ１５ａが上昇を許容され、該レバー部材１５は、前記コイルバネ１６の作用で上昇回動することになり、これに伴って、前記櫛歯１４、１４…の上端付近はフィルタ部１３のスリット１３ａ、１３ａ…の便器１１ｃと反対側の端部付近にスライド移動することになる。
【００５１】
このような櫛歯１４、１４…のスライド往復動作により、フィルタ部１３のスリット１３ａ、１３ａ…は、その一端側から他端側の間に基材粉その他の汚れ成分が詰まっていた場合には、それらが除去されることになる。
【００５２】
このような櫛歯１４、１４…のフィルタ部１３のスリット１３ａ、１３ａ…内のスライド往復動作は、以上のように、使用者が、バイオトイレ装置の使用に際して前記蓋体１１ａを開閉動作するのみで生じるものであり、特別な動力を要することもなく、殆ど自動的に行うことができる。
【産業上の利用可能性】
【００５３】
本発明は、バイオ処理装置用のフィルタ装置の製造の分野で利用することができる。
【符号の説明】
【００５４】
１    外箱
１ａ  蓋体
１ａｐ  パッキン
１ｂ  天板部
１ｂｈ  投入用開口部
２    フィルタボックス
２ａ  排気導入口
２ｂ  排気吐出口
３    フィルタ部
３ａ  スリット
４    櫛歯
４ａ  基部
４ｂ  軸部材
４ｃ  軸受け部材
４ｄ  ピボット
５    レバー部材
５ａ  受動作棒部
５ｂ  当接部材
６    コイルバネ
６ａ、６ｂ  結合片
１１  外箱
１１ａ  便器の蓋体
１１ｂ  天板部
１１ｃ  便器
１２  フィルタボックス
１２ａ  排気導入空間
１２ｂ  排気排出路
１３  フィルタ部
１３ａ  スリット
１４  櫛歯
１４ａ  基部
１４ｂ  軸部材
１４ｃ  軸受け部材
１４ｄ  ピボット
１５  レバー部材
１５ａ  延長コイルバネ
１５ｂ  作動片
１５ｂ１  取付片部
１５ｂ２  作動片本体
１５ｃ  腕片
１６  コイルバネ
【図１】
2014226641.tif 000003
【図２】
2014226641.tif 000004
【図３】
2014226641.tif 000005
【図４】
2014226641.tif 000006
【図５】
2014226641.tif 000007